(57)【要約】【課題】従来のソーラーパネル発電は太陽光などを受光して蓄電する形式である。そのため太陽光を受光出来ない時は発電、蓄電できなかった。【解決手段】人工灯（１）の周りにひとつ以上、多数のソーラーパネル（２）を配置、蓄電（３）することにより、少なくともひとつの人工灯（１）を点灯させ続けることは可能である。また余剰電力を人工灯（１）から生み出すことが出来る。それ自体、単独で点灯し続けることのできる自家発電システムである。ソーラーパネル（２）の数量を多くしたり、効率を良くすることにより、発電能力を高めることが出来る。【選択図】図１
2012228167.tif 000002
【特許請求の範囲】
【請求項１】
人工灯の周りにひとつ以上、多数のソーラーパネルを配置して、
その人工灯を点灯させ続けることの出来る人工灯
【請求項２】
人工灯の周りにひとつ以上、多数のソーラーパネルを配置して発電する発電機
【発明の詳細な説明】
【技術分野】
【０００１】本発明は人工灯のソーラーパネル発電により点灯し続けることの出来る人工灯、発電機である
【背景技術】
【０００２】従来は太陽光または人工灯によりそれを受光するソーラー発電、蓄電であった
【発明の開示】
【発明が解決しようとする課題】
【０００３】従来のソーラーパネル発電は太陽光などを受光して蓄電する形式である。
そのため太陽光を受光出来ない時は発電、蓄電できなかった。
【課題を解決するための手段】
【０００４】人工灯（１）の周りにひとつ以上、多数のソーラーパネル（２）を配置、蓄電（３）することにより、少なくともひとつの人工灯（１）を点灯させ続けることは可能である。
また余剰電力を人工灯（１）から生み出すことが出来る。
それ自体、単独で点灯し続けることのできる自家発電システムである。
ソーラーパネル（２）の数量を多くしたり、効率を良くすることにより、発電能力を高めることが出来る。
【発明の効果】
【０００５】従来の受光蓄電にとどまらず、元の人工灯（１）の消費電力以上の電力を生み出すことが出来る。
店舗などの照明の省エネが出来る。
また、その人工灯（１）により、受光ソーラーパネルを装備した他の電気機器を直接動作させることも出来る。
費用は、当初の設備費である人工灯（１）と蓄電器（３）を備えたソーラーパネル代だけで、電気代は特に発生しない。
それ自体、単独で点灯し続けることのできる自家発電システムであり、離島、山岳地帯など遠隔地で活用出来る。
石炭、石油、ガスなどの資源を消費せず、また、地球環境を汚染するＣＯ２を排出しないクリーンなエネルギーである。
また、原子力の環境汚染と万が一の場合の被害対策などの総費用を考えると、非常に好ましい発電システムと考えられる。
【実施例】
【図面の簡単な説明】
【図１】本発明の概略説明図である
【符号の説明】（１）人工灯
（２）ソーラーパネル
（３）蓄電池
【図１】
2012228167.tif 000003
【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
人工灯の周りにひとつ以上、多数のソーラーパネルを配置して、その人工灯を点灯させ続けることの出来る人工灯
【請求項２】
人工灯の周りにひとつ以上、多数のソーラーパネルを配置して、もとの人工灯の点灯以上の余剰電力を生み出す人工灯発電機
【請求項３】
多数の点灯し続ける人工灯（１）に、多数のソーラーパネルを設置して発電する、大規模人工灯発電機
【手続補正書】
【提出日】平成24年4月4日(2012.4.4)
【手続補正１】
【補正対象書類名】明細書
【補正対象項目名】全文
【補正方法】変更
【補正の内容】
【発明の詳細な説明】
【技術分野】
【０００１】本発明は人工灯のソーラーパネル発電により点灯し続けることの出来る人工灯、発電機である
【背景技術】
【０００２】従来は太陽光または人工灯によりそれを受光するソーラー発電、蓄電であった
【発明の開示】
【発明が解決しようとする課題】
【０００３】従来のソーラーパネル発電は太陽光などを受光して蓄電する形式である。
そのため太陽光を受光出来ない時は発電、蓄電できなかった。
【課題を解決するための手段】
【０００４】人工灯（１）の周りにひとつ以上、多数のソーラーパネル（２）を配置、蓄電（３）することにより、少なくともひとつの人工灯（１）を点灯させ続けることは可能である。
また余剰電力を人工灯（１）から生み出すことが出来る。
すなわち、人工灯を点灯させ続ける以上の数量のソーラーパネルを配置すれば、人工灯を点灯させ続け、余剰電力を生み出せることになる。
ソーラーパネル数が多ければ多いほど、効率が良ければよいほど、人工灯から受光発電する電力は大きくなるのである。
それ自体、単独で点灯し続けることのできる自家発電システムである。
ソーラーパネルは当然太陽光から受光蓄電でき、人工灯の電力の一番最初は、太陽光などから充電する。
ある程度、数量を多くしても点灯しなくなった場合、最初に戻り太陽光などから充電する。
（バッテリーの充電切れに相当）
日照の多い日は太陽光から、それ以外は人工灯から発電というようにも出来る。
大量生産することにより、ソーラーパネル、蓄電器などは安価にできる。
【発明の効果】
【０００５】従来の受光蓄電にとどまらず、元の人工灯（１）の消費電力以上の電力を生み出すことが出来る。
店舗などの照明の省エネが出来る。
また、その人工灯（１）により、受光ソーラーパネルを装備した他の電気機器を直接動作させることも出来る。
一般家庭、事業所での省エネが出来る。
費用は、当初の設備費である人工灯（１）と蓄電器（３）を備えたソーラーパネル代だけで、電気代は特に発生しない。
それ自体、単独で点灯し続けることのできる自家発電システムであり、離島、山岳地帯など遠隔地で活用出来る。
石炭、石油、ガスなどの資源を消費せず、また、地球環境を汚染するＣＯ２を排出しないクリーンなエネルギーである。
風力発電などのように、自然の気象条件に左右されることなく、人工的に任意に発電能力を高めることが出来る。
また、原子力の環境汚染と生物に与える影響と万が一の場合の被害対策（農業、漁業、畜産業などの食品分野、そして林業、放射線の永続性と拡散性）などの膨大な総費用を考えると、非常に好ましい発電システムと考えられる。
原子力発電所の事故で、できるだけ原発を少なくすべし、という社会世論に合致したものと言える。
【実施例】
【図面の簡単な説明】
【図１】本発明の概略説明図である
【符号の説明】（１）人工灯
（２）ソーラーパネル
（３）蓄電池（蓄電器）
【手続補正書】
【提出日】平成24年5月15日(2012.5.15)
【手続補正１】
【補正対象書類名】図面
【補正対象項目名】全図
【補正方法】変更
【補正の内容】
【図１】
2012228167.tif 000004
【手続補正書】
【提出日】平成24年5月21日(2012.5.21)
【手続補正１】
【補正対象書類名】明細書
【補正対象項目名】全文
【補正方法】変更
【補正の内容】
【発明の詳細な説明】
【技術分野】
【０００１】本発明は人工灯のソーラーパネル発電により点灯し続けることの出来る人工灯、発電機である
【背景技術】
【０００２】従来は太陽光または人工灯によりそれを受光するソーラー発電、蓄電であった
【発明の開示】
【発明が解決しようとする課題】
【０００３】従来のソーラーパネル発電は太陽光などを受光して蓄電する形式である。
そのため太陽光を受光出来ない時は発電、蓄電できなかった。
【課題を解決するための手段】
【０００４】人工灯（１）の周りにひとつ以上、多数のソーラーパネル（２）を配置、蓄電（３）することにより、少なくともひとつの人工灯（１）を点灯させ続けることは可能である。
また余剰電力を人工灯（１）から生み出すことが出来る。
すなわち、人工灯を点灯させ続ける以上の数量のソーラーパネルを配置すれば、人工灯を点灯させ続け、余剰電力を生み出せることになる。
ソーラーパネル数が多ければ多いほど、効率が良ければよいほど、人工灯から受光発電する電力は大きくなるのである。
蓄電器の回路部分は、受光発電部と点灯部の二つに分け、点灯電圧が一定以下になると自動的に点灯部の蓄電部に補充するようにする。
それ自体、単独で点灯し続けることのできる自家発電システムである。
人工灯の電力の一番最初は、太陽光などから充電する。
ソーラーパネルは当然太陽光から受光蓄電でき、ある程度、数量を多くしても点灯しなくなった場合、最初に戻り太陽光などから充電する。
（バッテリーの充電切れに相当）
日照の多い日は太陽光から、それ以外は人工灯から発電というようにも出来る。
大量生産することにより、ソーラーパネル、蓄電器などは安価にできる。
【発明の効果】
【０００５】従来の受光蓄電にとどまらず、元の人工灯（１）の消費電力以上の電力を生み出すことが出来る。
店舗などの照明の省エネが出来る。
また、その人工灯（１）により、受光ソーラーパネルを装備した他の電気機器を直接動作させることも出来る。
一般家庭、事業所での省エネが出来る。
費用は、当初の設備費である人工灯（１）と蓄電器（３）を備えたソーラーパネル代だけで、電気代は特に発生しない。
それ自体、単独で点灯し続けることのできる自家発電システムであり、離島、山岳地帯など遠隔地で活用出来る。
石炭、石油、ガスなどの資源を消費せず、また、地球環境を汚染するＣＯ２を排出しないクリーンなエネルギーである。
風力発電などのように、自然の気象条件に左右されることなく、人工的に任意に発電能力を高めることが出来る。
また、原子力の環境汚染と生物に与える影響と万が一の場合の被害対策（農業、漁業、畜産業などの食品分野、そして林業、放射線の永続性と拡散性）などの膨大な総費用を考えると、非常に好ましい発電システムと考えられる。
原子力発電所の事故で、できるだけ原発を少なくすべし、という社会世論に合致したものと言える。
【実施例】
【図面の簡単な説明】
【図１】本発明の概略説明図である
【符号の説明】（１）人工灯
（２）ソーラーパネル
（３）蓄電池（蓄電器）
【手続補正書】
【提出日】平成24年5月28日(2012.5.28)
【手続補正１】
【補正対象書類名】図面
【補正対象項目名】図１
【補正方法】追加
【補正の内容】
【図１】
2012228167.tif 000005
【手続補正書】
【提出日】平成24年6月5日(2012.6.5)
【手続補正１】
【補正対象書類名】特許請求の範囲
【補正対象項目名】全文
【補正方法】変更
【補正の内容】
【特許請求の範囲】
【請求項１】
人工灯の周りにひとつ以上、多数のソーラーパネルを配置して、その人工灯を点灯させ続けることの出来る人工灯
【請求項２】
人工灯の周りにひとつ以上、多数のソーラーパネルを配置して、もとの人工灯の点灯以上の余剰電力を生み出す人工灯発電機
【請求項３】
多数の点灯し続ける人工灯（１）に、多数のソーラーパネルを設置して発電する、大規模人工灯発電機
【請求項４】
蓄電器の回路部分を、受光発電部と点灯部の二つに分け、点灯電圧が一定以下になると自動的に電力を点灯部の蓄電部に補充するようにした蓄電器
【手続補正書】
【提出日】平成24年6月7日(2012.6.7)
【手続補正１】
【補正対象書類名】図面
【補正対象項目名】図１
【補正方法】追加
【補正の内容】
【図１】
2012228167.tif 000006
【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
人工灯の周りにひとつ以上、多数のソーラーパネルを配置し、点灯し続けることの出来る人工灯
【請求項２】
人工灯の周りにひとつ以上、多数のソーラーパネルを配置して、もとの人工灯の点灯以上の電力を発電し続けることの出来る人工灯発電機
【請求項３】
多数の点灯し続ける人工灯（１）に、多数のソーラーパネルを設置して発電する、大規模人工灯発電機
【請求項４】
蓄電器の回路部分を、受光発電部と点灯部の二つに分け、点灯電圧が一定以下になると自動的に電力を点灯部の蓄電部に補充するようにした蓄電器
【手続補正書】
【提出日】平成24年8月1日(2012.8.1)
【手続補正１】
【補正対象書類名】手続補正書
【補正対象項目名】手続補正１
【補正方法】変更
【補正の内容】
【手続補正１】
【補正対象書類名】図面
【補正対象項目名】図１
【補正方法】変更
【補正の内容】
【図１】
2012228167.tif 000007
【手続補正書】
【提出日】平成24年8月1日(2012.8.1)
【手続補正１】
【補正対象書類名】手続補正書
【補正対象項目名】手続補正１
【補正方法】変更
【補正の内容】
【手続補正１】
【補正対象書類名】図面
【補正対象項目名】図１
【補正方法】変更
【補正の内容】
【図１】
2012228167.tif 000008
【手続補正書】
【提出日】平成24年9月6日(2012.9.6)
【手続補正１】
【補正対象書類名】図面
【補正対象項目名】図１
【補正方法】変更
【補正の内容】
【図１】
2012228167.tif 000009